【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
第１の記録媒体に対して第１の情報データを記録再生する第１の記録再生手段と、
第２の記録媒体に対して第２の情報データを記録再生する第２の記録再生手段と、
前記第２の記録媒体に記録された複数の前記情報データのうち、前記第１の記録媒体に記録すべきものを任意に選択する選択手段と、
前記第１の記録媒体に記録された情報データを他の装置にて再生可能とするための終了処理が前記第１の記録媒体に対して指示されたことに応じて、前記選択手段により選択された第２の情報データを前記第２の記録媒体から再生して前記第１の記録媒体に記録し、その後前記第１の記録媒体に対する前記終了処理を実行するよう前記第１の記録再生手段と第２の記録再生手段とを制御する制御手段と、
を備えることを特徴とする記録再生装置。
【請求項２】
前記選択手段により選択された第２の情報データの容量と、前記第１の記録媒体の追加記録可能な残容量とを比較する比較手段と、前記比較手段による比較の結果、前記選択手段により選択された第２の情報データの容量が前記第１の記録媒体の残容量を超えた場合に警告を行なう警告手段とを更に備えることを特徴とする請求項１に記載の記録再生装置。
【請求項３】
前記第１の記録媒体に記録されている情報データの付随情報に基づいて、前記第２の記録媒体に記録されている第２の情報データを検索する検索条件を設定する検索条件設定手段と、該検索条件設定手段により設定された検索条件に基づいて、前記第２の記録媒体に記録されている第２の情報データから前記検索条件に合致する情報データを検索する検索手段とを更に備え、前記選択手段は前記検索手段により検索された情報データの中から任意の情報データを選択することを特徴とする請求項１に記載の記録再生装置。
【請求項４】
前記終了処理が行なわれた後の前記第１の記録媒体の用途を設定する用途設定手段と、前記第１の記録媒体に記録するべき第２の情報データを前記用途設定手段により設定された用途に適したデータ形式に変換する変換手段とを更に備え、前記制御手段は前記変換手段によりデータ形式が変換された第２の情報データを前記第１の記録媒体に記録するよう前記第１の記録再生手段を制御することを特徴とする請求項１に記載の記録再生装置。
【請求項５】
第１の記録媒体に対して第１の情報データを記録再生する第１の記録再生手段と、
第２の記録媒体に対して第２の情報データを記録再生する第２の記録再生手段と、
前記第１の記録媒体に記録された情報データを他の装置にて再生可能とするための終了処理を指示する指示手段と、
前記終了処理が行なわれた後の前記第１の記録媒体の用途を設定する用途設定手段と、
前記第２の記録媒体に記録された前記第２の情報データを前記用途設定手段により設定された用途に適したデータ形式に変換する変換手段と、
前記指示手段により前記終了処理が前記第１の記録媒体に対して指示されたことに応じて、前記選択手段により選択された第２の情報データを前記第２の記録媒体から再生し、この再生された第２の情報データを前記変換手段により変換処理して前記第１の記録媒体に記録し、その後前記第１の記録媒体に対する前記終了処理を実行するよう前記第１の記録再生手段と前記変換手段及び前記第２の記録再生手段とを制御する制御手段と、
を備えることを特徴とする記録再生装置。
【請求項６】
第１の記録媒体に対して第１の情報データを記録再生する第１の記録再生手段と、第２の記録媒体に対して第２の情報データを記録再生する第２の記録再生手段と、前記第２の記録媒体に記録された複数の前記情報データのうち、前記第１の記録媒体に記録すべきものを任意に選択する選択手段とを備える記録再生装置を制御する方法であって、
前記第１の記録媒体に記録された情報データを他の装置にて再生可能とするための終了処理が前記第１の記録媒体に対して指示されたことに応じて、前記選択手段により選択された第２の情報データを前記第２の記録媒体から再生して前記第１の記録媒体に記録し、その後前記第１の記録媒体に対する前記終了処理を実行するよう前記第１の記録再生手段と第２の記録再生手段とを制御する制御工程を備えることを特徴とする記録再生装置の制御方法。
【請求項７】
第１の記録媒体に対して第１の情報データを記録再生する第１の記録再生手段と、第２の記録媒体に対して第２の情報データを記録再生する第２の記録再生手段と、前記第１の記録媒体に記録された情報データを他の装置にて再生可能とするための終了処理を指示する指示手段と、前記終了処理が行なわれた後の前記第１の記録媒体の用途を設定する用途設定手段と、前記第２の記録媒体に記録された前記第２の情報データを前記用途設定手段により設定された用途に適したデータ形式に変換する変換手段とを備える記録再生装置を制御する方法であって、
前記指示手段により前記終了処理が前記第１の記録媒体に対して指示されたことに応じて、前記選択手段により選択された第２の情報データを前記第２の記録媒体から再生し、この再生された第２の情報データを前記変換手段により変換処理して前記第１の記録媒体に記録し、その後前記第１の記録媒体に対する前記終了処理を実行するよう前記第１の記録再生手段と前記変換手段及び前記第２の記録再生手段とを制御する制御工程を備えることを特徴とする記録再生装置の制御方法。
【請求項８】
請求項６又は７に記載の制御方法をコンピュータに実行させるためのプログラム。
【請求項９】
請求項８に記載のプログラムをコンピュータ読み取り可能に記憶した記憶媒体。
【手続補正２】
【補正対象書類名】明細書
【補正対象項目名】０００９
【補正方法】変更
【補正の内容】
【０００９】
また、本発明に係わる記録再生装置の制御方法は、第１の記録媒体に対して第１の情報データを記録再生する第１の記録再生手段と、第２の記録媒体に対して第２の情報データを記録再生する第２の記録再生手段と、前記第２の記録媒体に記録された複数の前記情報データのうち、前記第１の記録媒体に記録すべきものを任意に選択する選択手段とを備える記録再生装置を制御する方法であって、前記第１の記録媒体に記録された情報データを他の装置にて再生可能とするための終了処理が前記第１の記録媒体に対して指示されたことに応じて、前記選択手段により選択された第２の情報データを前記第２の記録媒体から再生して前記第１の記録媒体に記録し、その後前記第１の記録媒体に対する前記終了処理を実行するよう前記第１の記録再生手段と第２の記録再生手段とを制御する制御工程を備えることを特徴とする。
また、本発明に係わる記録再生装置の制御方法は、第１の記録媒体に対して第１の情報データを記録再生する第１の記録再生手段と、第２の記録媒体に対して第２の情報データを記録再生する第２の記録再生手段と、前記第１の記録媒体に記録された情報データを他の装置にて再生可能とするための終了処理を指示する指示手段と、前記終了処理が行なわれた後の前記第１の記録媒体の用途を設定する用途設定手段と、前記第２の記録媒体に記録された前記第２の情報データを前記用途設定手段により設定された用途に適したデータ形式に変換する変換手段とを備える記録再生装置を制御する方法であって、前記指示手段により前記終了処理が前記第１の記録媒体に対して指示されたことに応じて、前記選択手段により選択された第２の情報データを前記第２の記録媒体から再生し、この再生された第２の情報データを前記変換手段により変換処理して前記第１の記録媒体に記録し、その後前記第１の記録媒体に対する前記終了処理を実行するよう前記第１の記録再生手段と前記変換手段及び前記第２の記録再生手段とを制御する制御工程を備えることを特徴とする。